(57)【特許請求の範囲】
【請求項１】
左右一対の縦枠板（４ａ）（４ｂ）と上下一対の横枠板（５ａ）（５ｂ）とで略矩形状に形成された外枠（２）と、該外枠（２）の前側に左右一端側のヒンジ（１１）により開閉可能に枢着され且つその最も外周側に設けられた閉鎖当接部（４１）が閉状態時に前記外枠（２）の前端面（２ａ）に当接する前開閉体（３）と、該前開閉体（３）に設けられた遊技盤装着枠（２２）に装着される遊技盤（２１）と、前記前開閉体（３）を閉状態で施錠する施錠手段（７１）とを備え、該施錠手段（７１）は、前記外枠（２）側に設けられた被係合部材（７２）と、前記前開閉体（３）側に設けられ且つ前記前開閉体（３）が閉状態のときに前記被係合部材（７２）の被係合部（７２ａ）に係脱可能に係合する係合部材（７３）を有する施錠作動機構（７４）とを備えた遊技機において、前記被係合部（７２ａ）が前記外枠（２）の前端面（２ａ）側に位置するように前記被係合部材（７２）を配置し、前記被係合部材（７２）は、互いに平行な一対の固定板部（７５）と、それら固定板部（７５）の一端側を連結する連結板部（７６）とで断面略コの字型に形成されると共に前記連結板部（７６）に前記被係合部（７２ａ）が設けられ、前記一対の固定板部（７５）で前記外枠（２）を板厚方向に挟み込むように前記外枠（２）の前縁側に装着され固定されていることを特徴とする遊技機。
【発明の詳細な説明】
【技術分野】
【０００１】
本発明は、パチンコ機、アレンジボール機、スロットマシン等の遊技機に関するものである。
【背景技術】
【０００２】
遊技機、例えばパチンコ機等の弾球遊技機では、左右一対の縦枠板と上下一対の横枠板とで略矩形状に形成された外枠と、この外枠の前側に左右一端側のヒンジにより開閉可能に枢着された前開閉体とで遊技機本体が構成されている。遊技機本体を遊技ホールに設置する際には、遊技機本体の外枠を遊技島側の装着枠に嵌め込み、外枠の内側から装着枠に対して釘等を打ち込んで固定するようになっている。
【０００３】
パチンコ機等では、前開閉体に一体に設けられた遊技盤装着枠に装着される遊技盤をはじめ、その遊技盤側に遊技球を発射する発射手段、賞球の払い出し手段、各種の遊技制御を行う制御基板等、遊技機の主要構成部分のほとんどが前開閉体側に設けられ、特に制御基板等、遊技の進行や利益の還元に関する構成部分は前開閉体の裏側に装着されており、前開閉体を閉じた状態では遊技機本体の前側からアクセスできないようになっている。
【０００４】
また、パチンコ機等には、一般の遊技者が前開閉体を開放できないように、前開閉体を閉状態で施錠する施錠手段が設けられている。この施錠手段は、外枠側に設けられた被係合部材と、前開閉体側に設けられ且つ前開閉体が閉状態のときに被係合部材の被係合部に係合する係合部材を有する施錠作動機構とを備えており、前開閉体の前側から施錠作動機構に対して鍵操作を行うことにより、係合部材の被係合部材への係合を解除して前開閉体を開放することが可能となっている。
【０００５】
従来のパチンコ機では、外枠を構成する縦枠板の内面側に、被係合部が内側に向けて突出するように被係合部材が装着されると共に、その被係合部に対して係合部材が前側から係合するように前開閉体側に施錠作動機構が配置されている。また、遊技盤を保持する遊技盤装着枠は、その施錠作動機構の係合部材と干渉しないように、係合部材よりも内側に配置されている（特許文献１参照）。
【特許文献１】特開平１１−１２８４９２号公報
【発明の開示】
【発明が解決しようとする課題】
【０００６】
パチンコ機等の遊技機においては、演出画像等を表示するための液晶表示装置の画面が大型化する傾向にあるため、それに伴って遊技領域をより広く確保する必要性が高まっている。
【０００７】
しかしながら、従来のパチンコ機では、施錠手段を構成する被係合部材の被係合部が外枠の内面側に突出しているため、前開閉体側の係合部材もこれに対応して外枠の内面よりも内側に配置する必要があり、遊技盤装着枠も更にその係合部材の内側に配置する必要があることから、遊技盤の大型化による遊技領域の拡大にも自ずと限界があった。
【０００８】
本発明は、このような従来の問題点に鑑み、遊技盤を従来よりも大型化してより広い遊技領域を確保することが可能な遊技機を提供することを目的とする。
【課題を解決するための手段】
【０００９】
本発明は、左右一対の縦枠板４ａ，４ｂと上下一対の横枠板５ａ，５ｂとで略矩形状に形成された外枠２と、該外枠２の前側に左右一端側のヒンジ１１により開閉可能に枢着され且つその最も外周側に設けられた閉鎖当接部４１が閉状態時に前記外枠２の前端面２ａに当接する前開閉体３と、該前開閉体３に設けられた遊技盤装着枠２２に装着される遊技盤２１と、前記前開閉体３を閉状態で施錠する施錠手段７１とを備え、該施錠手段７１は、前記外枠２側に設けられた被係合部材７２と、前記前開閉体３側に設けられ且つ前記前開閉体３が閉状態のときに前記被係合部材７２の被係合部７２ａに係脱可能に係合する係合部材７３を有する施錠作動機構７４とを備えた遊技機において、前記被係合部７２ａが前記外枠２の前端面２ａ側に位置するように前記被係合部材７２を配置し、前記被係合部材７２は、互いに平行な一対の固定板部７５と、それら固定板部７５の一端側を連結する連結板部７６とで断面略コの字型に形成されると共に前記連結板部７６に前記被係合部７２ａが設けられ、前記一対の固定板部７５で前記外枠２を板厚方向に挟み込むように前記外枠２の前縁側に装着され固定されているものである。
【発明の効果】
【００１０】
本発明によれば、前開閉体３側の係合部材７３を外枠２の内面側に配置する必要がなく、従って遊技盤装着枠２２を従来よりも外枠２の内面側に寄せて配置することができ、遊技盤２１を大型化してより広い遊技領域３３を確保することが可能である。
【発明を実施するための最良の形態】
【００１１】
以下、本発明の実施の形態を図面に基づいて詳述する。図１〜図１２は本発明をパチンコ機として具現化した第１の実施形態を例示している。図１〜図５において、１は遊技機本体で、矩形状の外枠２と、この外枠２の前側を覆う前枠（前開閉体）３とを備えている。
【００１２】
外枠２は、図２，図４等に示すように、木材等よりなる左右一対の縦枠板４ａ，４ｂと、同じく木材等よりなる上下一対の横枠板５ａ，５ｂとで略矩形状に形成され、更にその下端部前側には、下側の横枠板５の上縁側に沿って縦枠板４ａ，４ｂを左右に連結する合成樹脂等よりなる下部前面板６が設けられている。なお、外枠２はその一部又は全部を合成樹脂、金属等により形成してもよい。
【００１３】
前枠３は、例えば合成樹脂製で、図３，図４等に示すように、外枠２側の縦枠板４ａ，４ｂに沿って配置される左右一対の縦枠部７ａ，７ｂと、外枠２の上側の横枠板５ａに沿って配置される横枠部８と、外枠２の下部前面板６の上側に沿って縦枠部７ａ，７ｂの下部側を左右に連結する下部支承部９とを例えば一体に備え、それら縦枠部７ａ，７ｂ、横枠部８、及び下部支承部９で取り囲まれて略矩形状の窓孔１０が形成されており、左右方向の一端側、例えば向かって左側の端部に設けられた上下一対のヒンジ１１によって、外枠２の前側に着脱及び開閉自在に枢着されている。
【００１４】
前枠３の前側には、窓孔１０に対応するガラス扉１２と、下部支承部９に対応する前面開閉板１３とが上下に配置され、左右方向一端側、例えばヒンジ１１と同じ側のヒンジ１４により前枠３に開閉自在に枢着されている。前面開閉板１３の前側には発射用の遊技球を貯留するための上皿１５が装着され、上皿カバー１６により覆われている。また、前枠３の前側で且つ前面開閉板１３の下側には余剰球等を貯留する下皿１７が配置され、下皿カバー１８により覆われている。
【００１５】
２１は遊技盤で、前枠３の窓孔１０に対応するように、前枠３の裏側の遊技盤装着枠２２に後側から着脱自在に装着され、下部支承部９の上側に設けられた遊技盤支持部２３により下側から支持されている。
【００１６】
２４は発射手段で、下部支承部９に装着された発射レール２６，発射モータ２７、打撃槌２８等を備え、下皿１７の一側で前枠３の前側に突設された発射ハンドル２５を操作したときに、発射モータ２７により打撃槌２８が作動して、球送り手段２９により上皿１５側から発射レール２６上に１個ずつ供給される遊技球を遊技盤２１側に発射させるようになっている。
【００１７】
遊技盤２１の前側には、発射手段２４により発射された遊技球を案内するガイドレール３１，３２が、液晶表示手段、可変式入賞手段、大入賞手段、普通入賞手段、通過ゲート等の各種遊技部品（図示省略）が配置された遊技領域３３を取り囲むように配置されている。
【００１８】
遊技盤２１の裏側には、図２に示すように、その液晶表示手段等の遊技部品を裏側から覆う裏カバー３４が装着されている。裏カバー３４の裏側には、各種制御基板を収納する基板ケース３５等が着脱自在に装着されている。
【００１９】
遊技盤装着枠２２は、図３等に示すように、前枠３の縦枠部７ａ，７ｂ及び横枠部８に沿って門形状に配置され、前枠３の裏側に一体に形成されている。即ち、前枠３の縦枠部７ａ，７ｂ及び横枠部８は、図３，図６，図９〜図１２等に示すように、閉状態時に外枠２の前端面２ａに略当接する閉鎖当接部４１と、閉鎖当接部４１の内縁側に設けられた遊技盤装着枠２２と、閉鎖当接部４１の外縁側から前向きに延設された外周部４３とを一体に備えている。
【００２０】
遊技盤装着枠２２は、その外周側が外枠２の内面側に沿うように、閉鎖当接部４１の内縁側から後ろ向き膨出状に設けられ、その内周側に、遊技盤２１の外周面２１ａに沿ってこの外周面２１ａを保持する外周保持部４４と、この外周保持部４４の前端側から遊技盤２１の前面２１ｂに沿って内向きに延設され且つこの前面２１ｂを保持する前面保持部４５とを備えている。
【００２１】
更に、前枠３の縦枠部７ｂには、図９〜図１２に示すように、閉鎖当接部４１の例えば遊技盤装着枠２２側縁部から前向きに突設された施錠取付部４９が一体に形成されている。
【００２２】
また、遊技盤装着枠２２の後側には、図２に示すように、遊技盤２１を裏側から押圧して固定するための裏機構板５１が左右方向一端側、例えばヒンジ１１と同じ側のヒンジ５２により開閉自在に枢着されており、遊技盤装着枠２２の後側に設けられた複数の締結具５３により閉状態で固定可能となっている。
【００２３】
裏機構板５１には、その中央部に裏カバー３４が嵌合する開口部５４が形成され、この開口部５４の上側に遊技球タンク５５とタンクレール５６が、左右一側に払い出し手段５７が、下側に通路ユニット５８、基板ケース５９等が夫々設けられており、遊技球が大入賞手段等に入賞したとき、或いは図外の自動球貸し機から球貸し指令があったときに、遊技球タンク５５内の遊技球をタンクレール５６を経て払い出し手段５７により払い出し、その遊技球を通路ユニット５８を経て上皿１５に案内するようになっている。
【００２４】
下部支承部９は、図３、図４に示すように、遊技盤２１を下側から支持する遊技盤支持部２３、この遊技盤支持部２３から上向きに突設され且つ遊技盤２１の前面２１ｂに略当接する起立板部６１、払い出し手段５７から払い出された遊技球を上皿１５側に案内する案内通路６２等を一体に備えると共に、発射手段２４を構成する発射レール２６，発射モータ２７、打撃槌２８の他、球送り手段２９、発射手段２４を制御する発射制御基板を収納する基板ケース６３等が装着されている。
【００２５】
ガラス扉１２は、図５に示すように、扉枠６４と、この扉枠６４を前側から覆う例えば合成樹脂製の扉カバー６５と、扉枠６４の裏側に固定されたガラス保持レール６６と、このガラス保持レール６６により保持された例えば２枚のガラス板６７とを備えている。
【００２６】
扉枠６４は、例えば金属板の折り曲げ加工により形成されており、その略中央部分には遊技盤２１側の遊技領域３３に対応する開口部６８が設けられ、内外縁部には後方に向けて折り曲げリブ６４ａが設けられている。
【００２７】
ガラス保持レール６６は、ガラス板６７の左右両縁部を保持する左右一対の縦レール６６ａ，６６ｂと、この縦レール６６ａ，６６ｂの下端部間に配置され且つガラス板６７の下縁部を保持する横レール６６ｃとで構成されている。縦レール６６ａ，６６ｂ及び横レール６６ｃは、例えば金属板の折り曲げ加工により、ガラス板６７に対応する前後一対の嵌合溝６９が設けられており、前縁側の固定部７０において扉枠６４の背面側に固定されている。
【００２８】
また、遊技機本体１には、前枠３を閉状態で施錠する施錠手段７１が設けられている。施錠手段７１は、図７等に示すように、外枠２側に設けられた外枠側被係合部材（被係合部材）７２と、前枠３側に設けられ且つ前枠３が閉状態のときに外枠側被係合部材７２に係脱可能に係合する外枠側係合部材（係合部材）７３を有する施錠作動機構７４とで構成されている。
【００２９】
外枠側被係合部材７２は、図４に示すように、外枠２の右側の縦枠板４ｂに複数、例えば上下に２つ設けられている。各外枠側被係合部材７２は、外枠２の前縁側に配置されており、図１２等に示すように、例えば互いに平行な一対の固定板部７５と、それら固定板部７５の前端側を連結する連結板部７６とで断面略コの字型に形成されると共に連結板部７６に例えば開口孔よりなる被係合部７２ａが設けられ、一対の固定板部７５で縦枠板４ｂを板厚方向に挟み込むように縦枠板４ｂの前端側に装着され、ネジ止め等により着脱自在に固定されている。
【００３０】
なお、縦枠板４ｂには、被係合部７２ａの後方に一定の空間を確保するための切欠部７８が外枠側被係合部材７２の装着位置に対応して設けられている。
【００３１】
施錠作動機構７４は、前枠３側の施錠及びその解除を行う前枠施錠機構８１と、ガラス扉１２側の施錠及びその解除を行うガラス扉施錠機構８２と、外部からの鍵操作により前枠施錠機構８１及びガラス扉施錠機構８２の施錠解除操作を行う施錠操作機構８３と、それら前枠施錠機構８１、ガラス扉施錠機構８２、及び施錠操作機構８３を前枠３側に支持する第１，第２支持部材８４，８５とを備えている。
【００３２】
第１支持部材８４は、前枠３の施錠取付部４９の外面側（外周部４３側）に沿って配置され且つ施錠取付部４９側に着脱自在に固定される固定板８６と、この固定板８６の前端側から前枠３の外周部４３側に向けて略垂直に延設されたカバー板８７とを一体に備えた断面略Ｌ字形で、施錠取付部４９に沿って縦長状に配置されている。
【００３３】
前枠施錠機構８１は、外枠２側の外枠側被係合部材７２に夫々前側から係脱可能な複数、例えば上下一対の外枠側係合部材７３と、第１支持部材８４の固定板８６により上下方向摺動自在に支持され且つ外枠側係合部材７３を上下に連結する縦長状の連結板９１と、この連結板９１を施錠方向、例えば上向きに付勢するバネ部材９２とを備え、前枠３を閉じた時に、外枠側係合部材７３が外枠側被係合部材７２に係合して前枠３を施錠するようになっている。
【００３４】
外枠側係合部材７３は、図１２等より明らかなように、第１支持部材８４の固定板８６に沿って前後方向に配置され且つ連結板９１に固定される摺動部９３と、外枠側被係合部材７２に対応して閉鎖当接部４１に設けられた貫通穴９４を介して後ろ向きに突設される係合部９５と、例えば閉鎖当接部４１の前側に沿って摺動部９３の後端側と係合部９５の前端側とを連結する連結部９６とを一体に備え、係合部９５の後端側上部に、外枠側被係合部材７２の被係合部７２ａの例えば上縁側に下側から係合可能な係合爪７３ａが形成されている。
【００３５】
従って、後述する鍵操作により連結板９１をバネ部材９２の付勢力に抗して下向きに移動させれば、外枠側係合部材７３も下向きに移動して、係合爪７３ａの外枠側被係合部材７２への係合が解除される。
【００３６】
ガラス扉施錠機構８２は、ガラス扉１２側のガラス扉側被係合部材１０１に例えば上側から係合可能な１又は複数、例えば上下一対の係合爪１０２を前側に一体に備え且つ第２支持部材８５により上下方向摺動自在に支持されたガラス扉側係合部材１０３と、第１支持部材８４の固定板８６に対して上下方向摺動自在に支持され且つガラス扉側係合部材１０３側の被係合部１０３ａに対して下側から係合する係合部１０４を例えば一体に備えた連動板１０５（図７、図８、図１０参照）と、この連動板１０５を施錠方向、例えば下向きに付勢するバネ部材９２とを備え、ガラス扉１２を閉じた時に、ガラス扉側係合部材１０３の係合爪１０２がガラス扉側被係合部材１０１の被係合部１０１ａに係合してガラス扉１２を施錠し、後述する鍵操作により連動板１０５を上向きに移動させれば、連動板１０５の係合部１０４がガラス扉側係合部材１０３側の被係合部１０３ａに係合してガラス扉側係合部材１０３も上向きに移動し、係合爪１０２のガラス扉側被係合部材１０１への係合が解除される。
【００３７】
第２支持部材８５は、図１２等より明らかなように、例えば互いに平行な一対の固定板１０６及び摺動支持板１０７と、それら固定板１０６及び摺動支持板１０７の一端側を連結する連結板１０８とを一体に備えた断面コの字形で、固定板１０６側が前枠３の施錠取付部４９の内面側（遊技盤２１側）に固定され、摺動支持板１０７に沿ってガラス扉側係合部材１０３が取り付けられている。
【００３８】
また、連動板１０５の係合部１０４は、施錠取付部４９に設けられた貫通穴４９ａを介してガラス扉側係合部材１０３側に突出し、被係合部１０３ａに係合するようになっている。
【００３９】
なお、ガラス扉側被係合部材１０１は、図５等に示すように、ガラス扉側係合部材１０３の係合爪１０２に対応するようにガラス扉１２側に１又は複数、例えば上下に２つ設けられており、被係合部１０１ａと、この被係合部１０１ａを例えば縦レール６６ｂの嵌合溝６９の背面側に固定する固定部１０１ｂとを一体に備えている。
【００４０】
前枠施錠機構８１側の連結板９１とガラス扉施錠機構８２側の連動板１０５とは、第１支持部材８４の固定板８６の一側、例えば外周部４３側に、連動板１０５，連結板９１の順で重ねて取り付けられている。また、図８等に示すように、前枠施錠機構８１の連結板９１には第１係合孔１０９が、ガラス扉施錠機構８２の連動板１０５には第２係合孔１１０が、施錠操作機構８３に対応する所定位置に設けられている。
【００４１】
施錠操作機構８３は、錠本体１１１と、この錠本体１１１の後端側に設けられ且つ錠本体１１１の鍵操作に応じて前後方向の軸廻りに回動可能な回動操作部材１１２とを備え、錠本体１１１の前端部を前枠３の前側に突出させ、且つ回動操作部材１１２を前枠３の外周部４３と施錠取付部４９との間に配置した状態で、例えば第１支持部材８４のカバー板８７を介して前枠３側に着脱自在に固定されている。
【００４２】
なお、前枠３の前側には施錠部カバー１１４が例えば着脱自在に装着されており、錠本体１１１はこの施錠部カバー１１４に形成された挿通孔１１５を介してその先端側を前側に露出している。
【００４３】
回動操作部材１１２は、図８等に示すように、前枠施錠機構８１用の第１係合片１１２ａとガラス扉施錠機構８２用の第２係合片１１２ｂとを一体的に備え、それら係合片１１２ａ，１１２ｂは、錠本体１１１側の鍵操作に応じて正逆方向に回動したときに、連結板９１、連動板１０５に設けられた第１係合孔１０９、第２係合孔１１０に夫々係合して連結板９１、連動板１０５を解除方向に移動させるようになっている。
【００４４】
即ち、遊技機本体１の前側から錠本体１１１に鍵を挿入し、例えば反時計回りに回転させると、それに伴って回動操作部材１１２も反時計回りに回動し、第１係合片１１２ａが下向きに移動して第１係合孔１０９に係合し、連結板９１を下向きに押し下げる。これにより、外枠側係合部材７３が解除方向、即ち下側に移動して係合爪７３ａの外枠側被係合部材７２への係合が解除され、前枠３を開放可能な状態となる。
【００４５】
一方、鍵を時計回りに回転させると、それに伴って回動操作部材１１２も時計回りに回動し、第２係合片１１２ｂが上向きに移動して第２係合孔１１０に係合し、連動板１０５を上向きに押し上げる。これにより、連動板１０５の係合部１０４がガラス扉側係合部材１０３側の被係合部１０３ａに係合してガラス扉側係合部材１０３も上向きに移動し、係合爪１０２のガラス扉側被係合部材１０１への係合が解除され、ガラス扉１２を開放可能な状態となる。
【００４６】
以上説明したように、本実施形態では、外枠側被係合部材７２を、その被係合部７２ａが外枠２の前端面２ａ側に位置するように配置しているため、前枠３側の外枠側係合部材７３を外枠２の内面側に配置する必要がなく、従って遊技盤装着枠２２を従来よりも外枠２の内面側に寄せて配置することができ、遊技盤２１を大型化してより広い遊技領域３３を確保することが可能である。
【００４７】
被係合部７２ａは、外枠側被係合部材７２の前側に設けられた開口孔であり、前枠３を閉じたときに、前枠３側に後ろ向きに突設された外枠側係合部材７３の係合爪７３ａが被係合部７２ａに前側から係合するように構成されているため、従来と同様、前枠３を外枠２側に確実に施錠できる。
【００４８】
また、外枠側被係合部材７２は、互いに平行な一対の固定板部７５と、それら固定板部７５の一端側を連結する連結板部７６とで断面略コの字型に形成されると共に連結板部７６に被係合部７２ａが設けられ、一対の固定板部７５で外枠２を板厚方向に挟み込むように外枠２の前縁側に装着され固定されているため、外枠側被係合部材７２を外枠２側に容易且つ確実に装着できると共に、例えば前枠３が施錠された状態で外枠側被係合部材７２を外枠２から取り外す等の不正行為を確実に防止できる。
【００４９】
図１３及び図１４は本発明の第２の実施形態を例示し、外枠側被係合部材７２の被係合部７２ａを前向きの突起状に設けた例を示している。なお、以下に特に説明しない部分の構成については第１の実施形態と同様とする。
【００５０】
本実施形態の外枠側被係合部材７２は、第１の実施形態と同様、外枠２の前縁側に配置されており、例えば互いに平行な一対の固定板部７５と、それら固定板部７５の前端側を連結する連結板部７６とで断面略コの字型に形成されると共に連結板部７６の前側に被係合部７２ａが突設され、一対の固定板部７５で縦枠板４ｂを板厚方向に挟み込むように縦枠板４ｂの前端側に装着され、ネジ止め等により着脱自在に固定されている。
【００５１】
被係合部７２ａには、例えば上面側に切欠部７２ｂが形成されると共に、その切欠部７２ｂの前側は、先端側から切欠部７２ｂ側にかけて前下がりの傾斜状に形成された係合案内部７２ｃとなっている。
【００５２】
また、前枠３側の閉鎖当接部４１には、外枠側被係合部材７２側の被係合部７２ａに対応して開口部１２１が形成されている。
【００５３】
外枠側係合部材７３は、第１支持部材８４の固定板８６に沿って前後方向に配置され且つ連結板９１側に固定される摺動部９３と、この摺動部９３の後端側から閉鎖当接部４１の前側に沿って開口部１２１の前側に向けて延設された係合部９５ａとを一体に備え、この係合部９５ａの例えば下部側に、外枠側被係合部材７２の被係合部７２ａに上側から係合可能な係合爪７３ａが形成されている。
【００５４】
前枠３が閉じられると、被係合部７２ａが前枠３側の開口部１２１に後側から嵌合して、開口部１２１の前側に設けられた外枠側係合部材７３の係合爪７３ａが被係合部７２ａの７２ｂに係合し、施錠される。前枠３を開放する際の解錠の手順は第１の実施形態と同様である。
【００５５】
図１５は第３の実施形態を例示し、外枠２を合成樹脂により一体成形する場合に、外枠側被係合部材７２を外枠２内の前端面２ａ側に内装してインサート成形した例を示している。
【００５６】
本実施形態の外枠側被係合部材７２は、金属等により板状に形成されており、その略中央に開口孔よりなる被係合部７２ａが設けられている。また、外枠２の前端面２ａには、外枠側被係合部材７２の被係合部７２ａに対応して開口部１２２が設けられている。
【００５７】
このように、合成樹脂製の外枠２を用いる場合には、外枠側被係合部材７２をインサート成形により容易に装着できる。
【００５８】
以上、本発明の実施形態について詳述したが、本発明はこれらの実施形態に限定されるものではなく、本発明の趣旨を逸脱しない範囲で種々の変更が可能である。例えば、外枠側被係合部材７２は、被係合部７２ａが外枠２の前端面２ａ側に位置するように設けられていればよく、その形状や外枠２への固定方法は任意である。例えば、外枠２を合成樹脂により一体成形する場合に、外枠２に設けた挿入孔から外枠側被係合部材７２を挿入し、固定するようにしてもよい。
【００５９】
被係合部７２ａが前側に突設された外枠側被係合部材７２を用い、被係合部７２ａを外枠２の前端面２ａから前側に突出させた状態で、外枠側被係合部材７２を外枠２内の前端面２ａ側に内装してインサート成形してもよい。
【００６０】
前枠３側の構成は任意であり、例えば前枠施錠機構８１は、外枠側被係合部材７２に対して施錠及びその解除を行えるものであればよい。
【００６１】
その他、本発明はパチンコ機以外のアレンジボール機や雀球遊技機等の弾球遊技機の他、スロットマシン等の各種遊技機において同様に実施可能であることは言うまでもない。
【図面の簡単な説明】
【００６２】
【図１】本発明の第１の実施形態を示すパチンコ機の全体正面図である。
【図２】本発明の第１の実施形態を示すパチンコ機の全体背面図である。
【図３】本発明の第１の実施形態を示すパチンコ機の前枠の背面図である。
【図４】本発明の第１の実施形態を示すパチンコ機の前枠、遊技盤、及び外枠の分解斜視図である。
【図５】本発明の第１の実施形態を示すパチンコ機のガラス扉の分解斜視図である。
【図６】本発明の第１の実施形態を示すパチンコ機の平面断面図である。
【図７】本発明の第１の実施形態を示すパチンコ機の前枠の施錠手段近傍における側面断面図及び背面断面図である。
【図８】本発明の第１の実施形態を示す施錠手段の施錠解除動作の説明図である。
【図９】本発明の第１の実施形態を示すパチンコ機の施錠作動機構近傍の平面断面図である。
【図１０】本発明の第１の実施形態を示すパチンコ機の施錠作動機構近傍の平面断面図である。
【図１１】本発明の第１の実施形態を示すパチンコ機の施錠作動機構近傍の平面断面図である。
【図１２】本発明の第１の実施形態を示す係合部材と被係合部材との係合関係を示す斜視図である。
【図１３】本発明の第２の実施形態を示す係合部材と被係合部材との係合関係を示す斜視図である。
【図１４】本発明の第２の実施形態を示すパチンコ機の施錠作動機構近傍の平面断面図である。
【図１５】本発明の第３の実施形態を示すパチンコ機の被係合部材を示す斜視図である。
【符号の説明】
【００６３】
２    外枠
２ａ  外枠前端面
３    前枠（前開閉体）
４ａ  縦枠板
４ｂ  縦枠板
５ａ  横枠板
５ｂ  横枠板
１１    ヒンジ
２１    遊技盤
２２    遊技盤装着枠
７１    施錠手段
７２    外枠側被係合部材（側被係合部材）
７２ａ  被係合部
７３    外枠側係合部材（係合部材）
７３ａ  係合爪
７４    施錠作動機構
７５    固定板部
７６    連結板部
１２１    開口部
【図１】
0004444175.tif 000002
【図２】
0004444175.tif 000003
【図３】
0004444175.tif 000004
【図４】
0004444175.tif 000005
【図５】
0004444175.tif 000006
【図６】
0004444175.tif 000007
【図７】
0004444175.tif 000008
【図８】
0004444175.tif 000009
【図９】
0004444175.tif 000010
【図１０】
0004444175.tif 000011
【図１１】
0004444175.tif 000012
【図１２】
0004444175.tif 000013
【図１３】
0004444175.tif 000014
【図１４】
0004444175.tif 000015
【図１５】
0004444175.tif 000016